(57)【特許請求の範囲】
【請求項１】
或るサブフレームにて、複数の物理下り制御チャネル（ＰＤＣＣＨ）のセットにおけるＰＤＣＣＨを受信する受信ユニットを備え、
前記複数のＰＤＣＣＨのセットは、別のサブフレームにて繰り返される第１ＰＤＣＣＨと、前記別のサブフレームにて繰り返されない第２ＰＤＣＣＨとを含み、
第１ＰＤＣＣＨには、前記或るサブフレームに関連しないスクランブリングシーケンスが用いられ、
第２ＰＤＣＣＨには、前記或るサブフレームに関連するスクランブリングシーケンスが用いられるユーザ機器。
【請求項２】
前記或るサブフレームの第１ＰＤＣＣＨと、前記別のサブフレームの第１ＰＤＣＣＨとのそれぞれには、同一のスクランブリングシーケンスが用いられる、請求項１に記載のユーザ機器。
【請求項３】
前記受信ユニットは、前記或るサブフレームおよび前記別のサブフレームにおける各サブフレームの増強型制御チャネル要素（ＥＣＣＥ）にて第１ＰＤＣＣＨを受信し、
ＥＣＣＥのインデックスは、前記或るサブフレームおよび前記別のサブフレームについて同一である、請求項１または２に記載のユーザ機器。
【請求項４】
或るサブフレームにて、複数の物理下り制御チャネル（ＰＤＣＣＨ）のセットにおけるＰＤＣＣＨを送信する送信ユニットを備え、
前記複数のＰＤＣＣＨのセットは、別のサブフレームにて繰り返される第１ＰＤＣＣＨと、前記別のサブフレームにて繰り返されない第２ＰＤＣＣＨとを含み、
第１ＰＤＣＣＨには、前記或るサブフレームに関連しないスクランブリングシーケンスが用いられ、
第２ＰＤＣＣＨには、前記或るサブフレームに関連するスクランブリングシーケンスが用いられる基地局。
【請求項５】
前記或るサブフレームの第１ＰＤＣＣＨと、前記別のサブフレームの第１ＰＤＣＣＨとのそれぞれには、同一のスクランブリングシーケンスが用いられる、請求項４に記載の基地局。
【請求項６】
前記送信ユニットは、前記或るサブフレームおよび前記別のサブフレームにおける各サブフレームの増強型制御チャネル要素（ＥＣＣＥ）にて第１ＰＤＣＣＨを送信し、
ＥＣＣＥのインデックスは、前記或るサブフレームおよび前記別のサブフレームについて同一である、請求項４または５に記載の基地局。
【請求項７】
物理下り制御チャネル（ＰＤＣＣＨ）を受信する方法であって、
或るサブフレームにて、複数のＰＤＣＣＨのセットにおけるＰＤＣＣＨを受信するステップを含み、
前記複数のＰＤＣＣＨのセットは、別のサブフレームにて繰り返される第１ＰＤＣＣＨと、前記別のサブフレームにて繰り返されない第２ＰＤＣＣＨとを含み、
第１ＰＤＣＣＨには、前記或るサブフレームに関連しないスクランブリングシーケンスが用いられ、
第２ＰＤＣＣＨには、前記或るサブフレームに関連するスクランブリングシーケンスが用いられる方法。
【請求項８】
前記或るサブフレームの第１ＰＤＣＣＨと、前記別のサブフレームの第１ＰＤＣＣＨとのそれぞれには、同一のスクランブリングシーケンスが用いられる、請求項７に記載の方法。
【請求項９】
前記第１ＰＤＣＣＨは、前記或るサブフレームおよび前記別のサブフレームにおける各サブフレームの増強型制御チャネル要素（ＥＣＣＥ）にて受信され、
ＥＣＣＥのインデックスは、前記或るサブフレームおよび前記別のサブフレームについて同一である、請求項７または８に記載の方法。
【請求項１０】
物理下り制御チャネル（ＰＤＣＣＨ）を送信する方法であって、
或るサブフレームにて、複数のＰＤＣＣＨのセットにおけるＰＤＣＣＨを送信するステップを含み、
前記複数のＰＤＣＣＨのセットは、別のサブフレームにて繰り返される第１ＰＤＣＣＨと、前記別のサブフレームにて繰り返されない第２ＰＤＣＣＨとを含み、
第１ＰＤＣＣＨには、前記或るサブフレームに関連しないスクランブリングシーケンスが用いられ、
第２ＰＤＣＣＨには、前記或るサブフレームに関連するスクランブリングシーケンスが用いられる方法。
【請求項１１】
前記或るサブフレームの第１ＰＤＣＣＨと、前記別のサブフレームの第１ＰＤＣＣＨとのそれぞれには、同一のスクランブリングシーケンスが用いられる、請求項１０に記載の方法。
【請求項１２】
前記第１ＰＤＣＣＨは、前記或るサブフレームおよび前記別のサブフレームにおける各サブフレームの増強型制御チャネル要素（ＥＣＣＥ）にて送信され、
ＥＣＣＥのインデックスは、前記或るサブフレームおよび前記別のサブフレームについて同一である、請求項１０または１１に記載の方法。
【発明の詳細な説明】
【発明の詳細な説明】
【０００１】
〔技術分野〕
本発明は無線通信技術の分野に関する。より具体的には、本発明は、物理制御チャネルの繰返し伝送方法、物理制御チャネルの受信方法、基地局及びユーザ機器に関する。
【０００２】
〔背景技術〕
第３世代モバイル通信パートナ・プロジェクト（３ＧＰＰ）によるロング・ターム・エボリューション（ＬＴＥ）は、日々多様化していく将来のモバイルサービスの提供を目的としている。中でも、無線セルラ通信は、人々の生活や仕事において欠かせないものに変わりつつある。そして、３ＧＰＰ  ＬＴＥ第１版（すなわちＲｅｌｅａｓｅ  ８）には、直交周波数分割多元接続（ＯＦＤＭＡ）およびマルチアンテナ（ＭＩＭＯ）技術が導入されている。また、３ＧＰＰのＲｅｌｅａｓｅ  １０は、国際電気通信連合による評価および測定を経て、正式に第４世代グローバルモバイル通信規格ＬＴＥ-Ａｄｖａｎｃｅｄとなった。ＬＴＥ-Ａｄｖａｎｃｅｄ規格は、キャリアアグリゲーション（ＣＡ）や中継技術が導入され、上り／下りＭＩＭＯ技術の強化や、ヘテロジニアスネットワーク（Ｈｅｔ-Ｎｅｔ）の展開のサポートを実現している。
【０００３】
将来の家庭用機器の通信に対する市場需要、および大規模な「物のインターネット（ＩＯＴ）」のレイアウトを満たすために、３ＧＧＰは、ＬＴＥやそのアップバージョンに低コスト機器間の通信技術（ＭＴＣ）を導入し、ＭＴＣサービスを現在のＧＳＭ（登録商標）ネットワークサポートからＬＴＥネットワークサポートに移行することを決定すると共に、低コスト（Ｌｏｗ−ｃｏｓｔ）ＭＴＣ  ＵＥと呼ばれる新たなユーザ機器タイプを定義した。このようなユーザ機器は、現行ＬＴＥネットワークの全てのデュプレックスモードにおいてＭＴＣサービスの適用が可能であり、下記の特性（１）〜（３）を有する。（１）受信アンテナが１つである。（２）下りおよび上りの最大伝送ブロック（ＴＢＳ）が１０００ビットである。（３）ダウンリンクデータチャネルのベースバンド帯域が１．４ＭＨｚまで減らされ、ダウンリンク制御チャネルの帯域がネットワーク側のシステム帯域と一致しており、アップリンクチャネルの帯域およびダウンリンクのＲＦ部分が、現行ＬＴＥネットワークにおけるユーザ機器と一致している。
【０００４】
ＭＴＣは、人的介入を必要としないデータ通信サービスである。ＭＴＣユーザ機器の大規模なレイアウトは、セキュリティ、追跡、料金支払い、測量や電子的消費などの分野に応用できる。具体的な応用としては、映像モニタリング、荷物供給チェーンの追跡、スマート電気メータ、遠隔操作等を含む。ＭＴＣは、要求される電力消費が低いため、低いデータ伝送レートおよび低いモバイル性に適している。現在のＬＴＥシステムは、主にヒューマン・トゥ・ヒューマン（Ｈ２Ｈ）通信サービス向けであるため、ＭＴＣサービスの規模競争の優勢および将来の応用性を実現するためには、低コストで動作可能な低コストＭＴＣ機器をサポートするＬＴＥネットワークがキーポイントである。
【０００５】
一部のＭＴＣ機器は、住宅ビルの地下室、または、絶縁箔、金属製格子若しくは従来建築物の分厚い壁に守られる場所に設置しなければならない。これらの機器の空間インターフェースは、ＬＴＥネットワークにおける一般の端末機器（例えば携帯電話、タブレットＰＣ等）に比べ、著しく大きな透過損失が生じる。そこで、３ＧＰＰは、ＬＴＥネットワークにおいて、２０ｄＢを追加するカバレッジ強化サービスをＭＴＣ機器に提供する設計案の研究および性能評価を決定した。なお、ネットワークカバレッジの悪い領域に位置するＭＴＣ機器は、非常に低いデータ伝送レート、非常に緩い時間遅延要求、および有限なモバイル性といった特徴を有する。ＭＴＣのこれらの特徴に対し、ＬＴＥネットワークでは、ＭＴＣをサポートするために一部のシグナリングおよび／またはチャネルを更に最適化してもよい。また、３ＧＰＰは、新たに定義された低コストＵＥ、および、ＭＴＣサービス（例えば遅延要求が非常に緩いサービス）を利用する他のＵＥに対し、ある程度のＬＴＥネットワークのカバレッジ強化を提供することを要求している。中でも、周波数分割復信（ＦＤＤ）のＬＴＥネットワークについて、１５ｄＢのネットワークカバレッジ強化を提供する。但し、ＭＴＣサービスを利用する全てのユーザ機器に同様のネットワークカバレッジ強化が必要であるというわけではない。
【０００６】
新型の低コストＭＴＣ機器の場合、ダウンリンクでは、ベースバンド部分のデータチャネルが１．４ＭＨｚ（すなわちＲＢ６個分）であっても、制御チャネルは下りシステム帯域全体にアクセスすることができる。また、ＲＦリンク部分は、変化せずにシステム帯域全体にアクセスすることができる。一方、アップリンクでは、ベースバンド部分もＲＦリンク部分も変化せずに維持される。低コストのＭＴＣユーザ機器は、アンテナが１つであり、上り伝送ブロックおよび下り伝送ブロックの何れも最大で１０００ビットである。
【０００７】
３ＧＰＰ−ＬＴＥユーザ機器がカバレッジ強化モード下でＭＴＣサービスを運用することに関し、例えば物理下り制御チャネルＰＤＣＣＨ、物理下り共有チャネルＰＤＳＣＨ、物理上り制御チャネルＰＵＣＣＨおよび物理上り共有チャネルＰＵＳＣＨなどの物理層チャネルのカバレッジ強化の設計および設定は、標準化を必要とする作業である。３ＧＰＰ  ＲＡＮ１＃７４会議での討議によると、初期アクセスが完了した後、繰返し伝送が必要な何れの物理チャネルも、その設定モードが基地局側に依存する。また、３ＧＰＰＲＡＮ１＃７５会議での討議では、カバレッジ強化モード下のＭＴＣユーザ機器のユーザ専用探索空間が、（Ｅ）ＰＤＣＣＨ（すなわちＰＤＣＣＨおよび／または増強型ＰＤＣＣＨ）によるＰＤＳＣＨスケジューリング、（Ｅ）ＰＤＣＣＨの複数の繰返し伝送レベルをサポートすることが提案された。ユーザ機器にとって、（Ｅ）ＰＤＣＣＨの繰返し伝送が可能な開始サブフレームは、特定のサブフレームセットに限定される必要がある。なお、ＬＴＥは、周期性のＣＳＩがＰＵＣＣＨにおいて繰返し伝送されることをサポートしないが、ＰＵＣＣＨにおけるＡＣＫ／ＮＡＣＫの繰返し伝送、ＰＤＳＣＨ／ＰＵＳＣＨの複数の時間域における繰返し伝送レベルをサポートしている。
【０００８】
カバレッジ強化モード下のユーザ機器が、ＭＴＣを応用したサービスを運用するとき、ＰＤＣＣＨを複数のサブフレームで繰返し伝送する必要がある。
【０００９】
〔発明の概要〕
本発明は、物理制御チャネルの繰返し伝送、および対応する受信を実現可能な、物理制御チャネルの繰返し伝送方法、物理制御チャネルの受信方法、基地局およびユーザ機器を提供することを目的とする。
【００１０】
発明の第一態様によれば、物理制御チャネルを繰返し伝送するためのサブフレームセットにおける各々のサブフレームの制御チャネル要素内において、物理制御チャネルを受信するステップを含む物理制御チャネルの受信方法を提供する。
【００１１】
実施例によれば、物理制御チャネルを繰返し伝送するためのアグリゲーションレベルが固定され、または予め定義され、またはセミパーシステントに設定されており、かつ、物理制御チャネルを繰返し伝送するための開始制御チャネル要素のインデックスが固定され、または予め定義され、またはセミパーシステントに設定されている。
【００１２】
実施例によれば、制御チャネル要素の位置および制御チャネル要素の数が固定され、または予め定義され、またはセミパーシステントに設定されている。
【００１３】
実施例によれば、物理制御チャネルが繰返し伝送されるサブフレームセットにおける各々のサブフレームの物理制御チャネルについて、同一のスクランブリングシーケンスが用いられる。
【００１４】
本発明の第２態様によれば、物理制御チャネルを繰返し伝送するためのサブフレームセットにおける各々のサブフレームの制御チャネル要素内において、物理制御チャネルを受信する受信ユニットを含むユーザ機器を提供する。
【００１５】
実施例によれば、物理制御チャネルを繰返し伝送するためのアグリゲーションレベルが固定され、または予め定義され、またはセミパーシステントに設定されており、かつ、物理制御チャネルを繰返し伝送するための開始制御チャネル要素のインデックスが固定され、または予め定義され、またはセミパーシステントに設定されている。
【００１６】
実施例によれば、制御チャネル要素の位置および制御チャネル要素の数が固定され、または予め定義され、またはセミパーシステントに設定されている。
【００１７】
実施例によれば、物理制御チャネルが繰返し伝送されるサブフレームセットにおける各々のサブフレームの物理制御チャネルについて、同一のスクランブリングシーケンスが用いられる。
【００１８】
本発明の第３態様によれば、物理制御チャネルを繰返し伝送するためのサブフレームセットにおける各々のサブフレームの制御チャネル要素内において、物理制御チャネルを伝送するステップを含む物理制御チャネルの繰返し伝送方法を提供する。
【００１９】
実施例によれば、物理制御チャネルを繰返し伝送するためのアグリゲーションレベルが固定され、または予め定義され、またはセミパーシステントに設定されており、かつ、物理制御チャネルを繰返し伝送するための開始制御チャネル要素のインデックスが固定され、または予め定義され、またはセミパーシステントに設定されている。
【００２０】
実施例によれば、制御チャネル要素の位置および制御チャネル要素の数が固定され、または予め定義され、またはセミパーシステントに設定されている。
【００２１】
実施例によれば、物理制御チャネルが繰返し伝送されるサブフレームセットにおける各々のサブフレームの物理制御チャネルについて、同一のスクランブリングシーケンスが用いられる。
【００２２】
本発明の第４態様によれば、物理制御チャネルを繰返し伝送するためのサブフレームセットにおける各々のサブフレームの制御チャネル要素内において、物理制御チャネルを伝送する伝送ユニットを含む基地局を提供する。
【００２３】
実施例によれば、物理制御チャネルを繰返し伝送するためのアグリゲーションレベルが固定され、または予め定義され、またはセミパーシステントに設定されており、かつ、物理制御チャネルを繰返し伝送するための開始制御チャネル要素のインデックスが固定され、または予め定義され、またはセミパーシステントに設定されている。
【００２４】
実施例によれば、制御チャネル要素の位置および制御チャネル要素の数が固定され、または予め定義され、またはセミパーシステントに設定されている。
【００２５】
実施例によれば、物理制御チャネルが繰返し伝送されるサブフレームセットにおける各々のサブフレームの物理制御チャネルについて、同一のスクランブリングシーケンスが用いられる。
【００２６】
本発明の実施例を利用することにより、物理制御チャネルの繰返し伝送、および対応する受信を実現できる。また、ユーザ機器（特に、低コストのユーザ機器、および遅延が許容されるＭＴＣサービスを実行し、且つある程度のネットワークカバレッジ強化を必要とする他のユーザ機器を含むＭＴＣユーザ機器）のリソース利用率の向上、スペクトル／エネルギー効率の改善、セル間の時間／周波数リソースの衝突低減も可能となる。
【００２７】
本発明の上記特徴および他の特徴は、図面に基づく詳細な下記説明によりさらに明白になるのであろう。
【００２８】
〔図面の簡単な説明〕
〔図１〕本発明に係る基地局を示すブロック図である。
〔図２〕実施例に係る、繰返し伝送されるＰＤＣＣＨのスクランブリングを示す模式図である。
〔図３〕本発明に係るユーザ機器を示すブロック図である。
〔図４〕本発明に係る物理制御チャネルの繰返し伝送方法を示すフローチャートである。
〔図５〕本発明に係る物理制御チャネルの受信方法を示すフローチャートである。
【００２９】
〔具体的な実施形態〕
以下、図面に基づいて本発明の具体的な実施例を説明することで、本発明の原理および実現はより明白になる。なお、本発明は下記の具体的な実施例に限定されるものではない。また、本発明に対する理解の混同を避けるために、便宜上、本発明と直接に関連しない公知技術の詳細な説明は省略する。
【００３０】
以下は、運用環境の一例としてＬＴＥモバイル通信システムおよびそれ以降のエボリューション版を挙げ、本発明に係る幾つかの実施例を詳しく説明する。但し、本発明は下記の実施例に限定されず、他の多種の無線通信システム、例えば将来の５Ｇセルラ通信システムにも適用可能である。
【００３１】
以下に示す例において、ＰＤＣＣＨを例に物理制御チャネルについて説明する場合があるが、物理制御チャネルがＰＤＣＣＨに限定されないことは当業者に理解される。
【００３２】
図１は本発明に係る基地局１００を示すブロック図である。図示のように、基地局１００は伝送ユニット１２０を含む。基地局１００は、さらに設定情報送信ユニット１１０を選択的に含んでもよい。なお、当業者に理解されるように、基地局１００は、その機能の実現に必要な他の機能ユニット、例えば各種のプロセッサ、メモリなどをさらに含んでいる。
【００３３】
伝送ユニット１２０は、物理制御チャネルを繰返し伝送するためのサブフレームセットにおける各々のサブフレームの制御チャネル要素ＣＣＥ内において、物理制御チャネルを伝送する。
【００３４】
設定情報送信ユニット１１０は、ユーザ機器ＵＥに設定情報を送信する。前記設定情報は、少なくとも、物理下り制御チャネルＰＤＣＣＨを繰返し伝送する回数(以下はＮと記載；Ｎ≧２)、および毎回の伝送に関連付けられるＵＥ探索空間を含む。
【００３５】
なお、本発明に用いられる用語ＰＤＣＣＨとは、物理下り制御チャネル(ＰＤＣＣＨ) または増強型物理下り制御チャネル(ｅ-ＰＤＣＣＨ)を指す。また、ＰＤＣＣＨのＮ回の繰返し伝送を、１つのＰＤＣＣＨ繰返し伝送周期と称する。
【００３６】
例えば、伝送ユニット１２０がＵＥにＰＤＣＣＨをＮ回繰り返して伝送する。なお、毎回の伝送は、その関連付けられるＵＥ探索空間内で行われる。
【００３７】
一実施例として、１つのＰＤＣＣＨ繰返し伝送周期内において、毎回の伝送に関連付けられる探索空間には、同一のスクランブリングコードに関連付けられたサブフレームが含まれている。
【００３８】
具体的には、同一のスクランブリングコードに関連付けられたサブフレームは、同一のサブフレーム番号を有するサブフレームを含んでもよい。この場合、現行のセル専用−サブフレーム専用スクランブリングシーケンス(同一のサブフレーム番号のサブフレームが、同一のサブフレーム専用スクランブリングシーケンスを有する)を繰り返して用いてもよい。
【００３９】
予備に選択される構成として、同一のスクランブリングコードに関連付けられたサブフレームは、サブフレーム専用スクランブリングコードを有さないサブフレームを含んでもよい。この場合、セル専用スクランブリングシーケンス、およびサブフレーム非専用スクランブリングシーケンス(すなわち、サブフレームが同一のスクランブリングコードを有する)を用いてもよい。図２は、上記場合のスクランブリングを示す模式図である。図２の上半部分は、制御チャネル要素ＣＣＥからなる探索空間を示し、図２の下半部分は、対応するスクランブリングシーケンスを示す。図示のように、探索空間は、コモン探索空間ＣＳＳおよびＵＥ探索空間を含む。通常のＵＥ（例えばＵＥ１およびＵＥ２）に対しては、そのＵＥ探索空間において、現行のセル専用−サブフレーム専用スクランブリングシーケンスが繰り返して用いられる。ＰＤＣＣＨを繰返し伝送する必要があるＵＥ（カバレッジ強化型のＥＣ  ＭＴＣ  ＵＥ）に対しては、その探索空間において、セル専用スクランブリングシーケンス、およびサブフレーム非専用スクランブリングシーケンスが用いられる。このとき、ＬＴＥにおける本来のセル専用−サブフレーム専用スクランブリングシーケンスについて、ＵＥ探索空間内のＣＣＥの位置をリセットすると共に、サブフレーム非専用スクランブリングシーケンスに置き換える必要がある。但し、他の位置のＣＣＥについては、本来のスクランブリングシーケンスがそのまま維持される。
【００４０】
別の実施例として、毎回の伝送に関連付けられるＵＥ探索空間は、異なるスクランブリングコードに関連付けられたサブフレームを含む。この場合、現行のセル専用−サブフレーム専用スクランブリングシーケンスを繰り返して用いてもよい。
【００４１】
実施例によれば、前記設定情報は、制御フォーマット識別子ＣＦＩ、各々のＵＥ探索空間に関連付けられるセル専用オフセット、アグリゲーションレベル、および毎回の伝送に関連付けられる１つ若しくは複数の制御チャネル要素ＣＣＥの番号のうち、少なくとも一方を含んでもよい。
【００４２】
具体的には、１つのＰＤＣＣＨ繰返し伝送周期内において、ランダムアクセス時に確定された、ユーザ機器に必要な繰返し伝送回数Ｎに基づき、ＰＤＣＣＨが占めるＯＦＤＭシンボル数、すなわちＣＦＩの値を、ＰＤＣＣＨを繰返し伝送する全サブフレーム内に固定／予め定義／セミパーシステントに設定する。ＣＦＩの値の確定は、システムの下りキャリア波の帯域と関連しており、例えばシステムの帯域が５ＭＨｚよりも小さい場合には、ＣＦＩ＝３。それ以外の場合には、ＣＦＩ＝２。
【００４３】
１つのＰＤＣＣＨ繰返し伝送周期内において、各々のＵＥ探索空間がセル専用オフセットを有してもよく、当該オフセットが設定情報内に含まれてもよい。
【００４４】
また、１つのＰＤＣＣＨ繰返し伝送周期内において、ＰＤＣＣＨの繰返し伝送をサポートする１つ若しくは複数のアグリゲーションレベルＡＬを、ＰＤＣＣＨを繰返し伝送するサブフレーム内に固定／予め定義／セミパーシステントに設定してもよい。アグリゲーションレベルＡＬは、ＰＤＣＣＨが占めるＣＣＥの数を示す。アグリゲーションレベルＡＬは、システム帯域と関連しており、例えばシステム帯域が５ＭＨｚよりも小さい場合には、アグリゲーションレベルＡＬ＝４。それ以外の帯域の場合には、ＡＬ＝８。
【００４５】
また、１つのＰＤＣＣＨ繰返し伝送周期内において、ＰＤＣＣＨの繰返し伝送をサポートする開始ＣＣＥ（ＣＣＥまたは増強型ＣＣＥ）インデックスを、ＰＤＣＣＨを繰返し伝送するサブフレーム内に固定／予め定義／セミパーシステントに設定してもよい。
【００４６】
また、１つのＰＤＣＣＨ繰返し伝送周期内において、ＰＤＣＣＨを繰返し伝送する各々のサブフレーム内におけるＰＤＣＣＨ伝送用のＣＣＥのインデックスを、固定／予め定義／セミパーシステントに設定してもよい。具体的には、ＣＣＥの候補位置を各々のサブフレーム内に固定またはセミパーシステントに設定し、ＰＤＣＣＨを繰返し伝送する全サブフレームについてユーザ機器がＣＣＥの当該候補位置をモニタリングして制御する。予備に選択される構成として、ＣＣＥの複数の候補位置を、ＰＤＣＣＨを繰返し伝送する各々のサブフレーム内に固定またはセミパーシステントに設定してもよい。このとき、ＰＤＣＣＨを繰返し伝送する全サブフレームについて、ユーザ機器がＣＣＥのこれら候補位置をモニタリングして制御する。
【００４７】
ＵＥに対し、サブフレーム内におけるＰＤＣＣＨ伝送用の開始ＣＣＥのインデックスをセミパーシステントに設定してもよい。
【００４８】
また、ＰＤＣＣＨのアグリゲーションレベルＡＬとユーザ機器のブラインド検出回数との関係を変えてもよい。例えば、ＡＬ＝８の場合に、ユーザ機器のブラインド検出回数を１に制限してもよい。
【００４９】
本発明によれば、ＭＢＭＳサブフレーム内でのＰＤＣＣＨ繰返し伝送をサポートすることができる。ＭＢＭＳサブフレームに、ＵＥ探索空間を固定／セミパーシステントに設定してもよい。
【００５０】
一実施例として、物理制御チャネルを繰返し伝送するためのアグリゲーションレベルＡＬは、固定され、または予め定義され、またはセミパーシステントに設定されている。物理制御チャネルを繰返し伝送するための開始制御チャネル要素ＣＣＥのインデックスは、固定され、または予め定義され、またはセミパーシステントに設定されている。
【００５１】
一実施例として、制御チャネル要素ＣＣＥの位置および制御チャネル要素の数が固定され、または予め定義され、またはセミパーシステントに設定されている。
【００５２】
一実施例として、物理制御チャネルが繰返し伝送されるサブフレームセットにおける各々のサブフレームの物理制御チャネルについて、同一のスクランブリングシーケンスが用いられている。
【００５３】
図３は本発明に係るＵＥ３００を示すブロック図である。図示のように、ＵＥ３００は受信ユニット３１０を含む。ＵＥ３００は、さらに復号化ユニット３２０を選択的に含んでもよい。なお、当業者に理解されるように、ＵＥ３００は、その機能の実現に必要な他の機能ユニット、例えば各種のプロセッサ、メモリなどをさらに含んでいる。
【００５４】
受信ユニット３１０は、物理制御チャネルを繰返し伝送するためのサブフレームセットにおける各々のサブフレームの制御チャネル要素ＣＣＥ内において、物理制御チャネルを受信する。
【００５５】
選択可能な構成として、受信ユニット３１０は基地局から設定情報を受信する。前記設定情報は、少なくとも、物理下り制御チャネルＰＤＣＣＨを繰返し伝送する回数（Ｎ）、および毎回の伝送に関連付けられるＵＥ探索空間を含む。受信ユニット３２０は、さらに基地局から１つ若しくは複数の下りフレームを受信する。前記下りフレームには、繰返し伝送されるＰＤＣＣＨが含まれる。
【００５６】
復号化ユニット３２０は、前記設定情報に基づき、前記下りフレームからＰＤＣＣＨを復号する。
【００５７】
一実施例として、１つのＰＤＣＣＨ繰返し伝送周期内において、毎回の伝送に関連付けられるＵＥ探索空間には、同一のスクランブリングコードに関連付けられたサブフレームが含まれる。具体的には、同一のスクランブリングコードに関連付けられたサブフレームが、同一のサブフレーム番号を有するサブフレーム、またはサブフレーム専用スクランブリングコードを有さないサブフレームを含む。この場合、復号化ユニット３２０は、（１）前記設定情報に基づき、毎回伝送されるＰＤＣＣＨに関連付けられるデータを前記下りフレームから抽出し、（２）毎回伝送されるＰＤＣＣＨに関連付けられる周波数域ソフトシンボルの情報を得るために、毎回伝送されるＰＤＣＣＨに関連付けられるデータをフーリエ変換し、（３）繰返し伝送される全てのＰＤＣＣＨに関連付けられる周波数域ソフトシンボルの情報を統合し、（４）統合した周波数域ソフトシンボルの情報を復調しビット情報を得て、（５）前記同一のスクランブリングコードに基づき、前記ビット情報をデスクランブリングする、ように構成されている。
【００５８】
別の実施例として、毎回の伝送に関連付けられるＵＥ探索空間には、異なるスクランブリングコードに関連付けられたサブフレームが含まれる。この場合、復号化ユニット３２０は、（１）前記設定情報に基づき、毎回伝送されるＰＤＣＣＨに関連付けられるデータを前記下りフレームから抽出し、（２）毎回伝送されるＰＤＣＣＨに関連付けられる周波数域ソフトシンボルの情報を得るために、毎回伝送されるＰＤＣＣＨに関連付けられるデータをフーリエ変換し、（３）毎回の伝送に関連付けられるＵＥ探索空間に含まれるサブフレームに関連付けられたスクランブリングコードに基づき、今回伝送されたＰＤＣＣＨに関連付けられる周波数域ソフトシンボルの情報をデスクランブリングし、今回伝送されたＰＤＣＣＨに関連付けられるソフトビットの情報を得て、（４）繰返し伝送される全てのＰＤＣＣＨに関連付けられるソフトビットの情報を統合し、（５）統合したソフトビットの情報を復調する、ように構成されている。
【００５９】
また、ＣＣＥ統合の複雑さを制限してもよい。例えば、繰返し伝送回数Ｎに対し、開始ＣＣＥのインデックスのセミパーシステント設定をサポートする。また、別の例として、繰返し伝送回数Ｎに対し、ユーザ機器ＵＥが１つのＰＤＣＣＨ重複周期内において、ＰＤＣＣＨを繰返し伝送する全てのサブフレームにおける、特定のアグリゲーションレベルＡＬのＣＣＥの１つを統合する。予備に選択される構成として、１つのＰＤＣＣＨ重複周期内において、ユーザ機器が、同一アグリゲーションレベルでの同一インデックスのＣＣＥを、ＰＤＣＣＨを繰返し伝送する全てのサブフレームにおいて統合する。
【００６０】
また、前記設定情報は、制御フォーマット識別子ＣＦＩ、各々のＵＥ探索空間に関連付けられるセル専用オフセット、アグリゲーションレベル、および毎回の伝送に関連付けられる１つ若しくは複数の制御チャネル要素ＣＣＥの番号のうち、少なくとも一方を含んでもよい。
【００６１】
一実施例として、物理制御チャネルを繰返し伝送するためのアグリゲーションレベルＡＬが、固定され、または予め定義され、またはセミパーシステントに設定されている。物理制御チャネルを繰返し伝送するための開始制御チャネル要素ＣＣＥのインデックスが、固定され、または予め定義され、またはセミパーシステントに設定されている。
【００６２】
一実施例として、制御チャネル要素ＣＣＥの位置、および制御チャネル要素の数が、固定され、または予め定義され、またはセミパーシステントに設定されている。
【００６３】
一実施例として、物理制御チャネルが繰返し伝送されるサブフレームセットにおける各々のサブフレームの物理制御チャネルについて、同一のスクランブリングシーケンスが用いられる。
【００６４】
以下は、図を参照しながら、本発明の方法のフローチャートを説明する。但し、上記基地局１００およびＵＥ３００の実施例と組み合わせて説明される全ての特徴も以下の方法の実施例に適用される。
【００６５】
図４は、本発明に係る物理制御チャネルの繰返し伝送方法４００を示すフローチャートである。方法４００は、上記基地局１００によって実行されてもよく、次のステップを含む。
【００６６】
ステップＳ４１０では、物理制御チャネルを繰返し伝送するためのサブフレームセットにおける各々のサブフレームの制御チャネル要素内において、物理制御チャネルを伝送する。
【００６７】
選択可能な構成として、方法４００は、ＰＤＣＣＨを繰返し伝送する回数、および毎回の伝送に関連付けられるＵＥ探索空間を少なくとも含む設定情報を、ユーザ機器ＵＥに送信するステップをさらに含む。
【００６８】
例えば、ステップＳ４１０において、ＰＤＣＣＨを前記回数繰り返してＵＥに伝送する。なお、毎回の伝送は、その関連付けられる探索空間において行われる。
【００６９】
好ましくは、毎回の伝送に関連付けられる探索空間には、同一のスクランブリングコードに関連付けられたサブフレームが含まれる。
【００７０】
好ましくは、同一のスクランブリングコードに関連付けられたサブフレームは、同一のフレーム番号を有するサブフレーム、またはサブフレーム専用スクランブリングコードを有さないサブフレームを含む。
【００７１】
好ましくは、毎回の伝送に関連付けられるＵＥ探索空間には、異なるスクランブリングコードに関連付けられたサブフレームが含まれる。
【００７２】
好ましくは、前記設定情報は、制御フォーマット識別子ＣＦＩ、各々のＵＥ探索空間に関連付けられるセル専用オフセット、アグリゲーションレベル、および毎回の伝送に関連付けられる１つ若しくは複数の制御チャネル要素ＣＣＥの番号のうち、少なくとも一方をさらに含む。
【００７３】
一実施例として、物理制御チャネルを繰返し伝送するためのアグリゲーションレベルＡＬが、固定され、または予め定義され、またはセミパーシステントに設定されている。物理制御チャネルを繰返し伝送するための開始制御チャネル要素ＣＣＥのインデックスが、固定され、または予め定義され、またはセミパーシステントに設定されている。
【００７４】
一実施例として、制御チャネル要素ＣＣＥの位置、および制御チャネル要素の数が、固定され、または予め定義され、またはセミパーシステントに設定されている。
【００７５】
一実施例として、物理制御チャネルが繰返し伝送されるサブフレームセットにおける各々のサブフレームの物理制御チャネルについて、同一のスクランブリングシーケンスが用いられる。
【００７６】
図５は本発明に係る物理制御チャネルの受信方法５００を示すフローチャートである。方法５００は、上記ＵＥ３００によって実行されてもよく、次のステップを含む。
【００７７】
ステップＳ５１０では、物理制御チャネルを繰返し伝送するためのサブフレームセットにおける各々のサブフレームの制御チャネル要素内において、物理制御チャネルを受信する。
【００７８】
選択可能な構成として、方法５００は、ＰＤＣＣＨを繰返し伝送する回数、および毎回の伝送に関連付けられるユーザ機器ＵＥ探索空間を少なくとも含む設定情報を、基地局から受信するステップをさらに含む。
【００７９】
例えば、ステップＳ５１０において、繰返し伝送されるＰＤＣＣＨを含む１つ若しくは複数の下りフレームを、基地局から受信する。
【００８０】
選択可能な構成として、方法５００は、前記設定情報に基づいて前記下りフレームからＰＤＣＣＨを復号するステップをさらに含む。
【００８１】
好ましくは、毎回の伝送に関連付けられるＵＥ探索空間には、同一のスクランブリングコードに関連付けられたサブフレームが含まれる。
【００８２】
好ましくは、同一のスクランブリングコードに関連付けられたサブフレームは、同一のフレーム番号を有するサブフレーム、またはサブフレーム専用スクランブリングコードを有さないサブフレームを含む。前記復号化ステップＳ５３０は、（１）前記設定情報に基づき、毎回伝送されるＰＤＣＣＨに関連付けられるデータを前記下りフレームから抽出するステップと、（２）毎回伝送されるＰＤＣＣＨに関連付けられる周波数域ソフトシンボルの情報を得るために、毎回伝送されるＰＤＣＣＨに関連付けられるデータをフーリエ変換するステップと、（３）繰返し伝送される全てのＰＤＣＣＨに関連付けられる周波数域ソフトシンボルの情報を統合するステップと、（４）統合した周波数域ソフトシンボルの情報を復調しビット情報を得るステップと、（５）前記同一のスクランブリングコードに基づき、前記ビット情報をデスクランブリングするステップと、を含む。
【００８３】
好ましくは、毎回の伝送に関連付けられるＵＥ探索空間には、異なるスクランブリングコードに関連付けられたサブフレームが含まれる。前記復号化ステップＳ５３０は、（１）前記設定情報に基づき、毎回伝送されるＰＤＣＣＨに関連付けられるデータを前記下りフレームから抽出するステップと、（２）毎回伝送されるＰＤＣＣＨに関連付けられる周波数域ソフトシンボルの情報を得るために、毎回伝送されるＰＤＣＣＨに関連付けられるデータをフーリエ変換するステップと、（３）毎回の伝送に関連付けられるＵＥ探索空間に含まれるサブフレームに関連付けられたスクランブリングコードに基づき、今回伝送されたＰＤＣＣＨに関連付けられる周波数域ソフトシンボルの情報をデスクランブリングし、今回伝送されたＰＤＣＣＨに関連付けられるソフトビットの情報を得るステップと、（４）繰返し伝送される全てのＰＤＣＣＨに関連付けられるソフトビットの情報を統合するステップと、（５）統合したソフトビットの情報を復調するステップと、を含む。
【００８４】
好ましくは、前記設定情報は、制御フォーマット識別子ＣＦＩ、各々のＵＥ探索空間に関連付けられるセル専用オフセット、アグリゲーションレベル、および毎回の伝送に関連付けられる１つ若しくは複数の制御チャネル要素ＣＣＥの番号のうち、少なくとも一方をさらに含む。
【００８５】
一実施例として、物理制御チャネルを繰返し伝送するためのアグリゲーションレベルＡＬが、固定され、または予め定義され、またはセミパーシステントに設定されている。物理制御チャネルを繰返し伝送するための開始制御チャネル要素ＣＣＥのインデックスが、固定され、または予め定義され、またはセミパーシステントに設定されている。
【００８６】
一実施例として、制御チャネル要素ＣＣＥの位置、および制御チャネル要素の数が、固定され、または予め定義され、またはセミパーシステントに設定されている。
【００８７】
一実施例として、物理制御チャネルが繰返し伝送されるサブフレームセットにおける各々のサブフレームの物理制御チャネルについて、同一のスクランブリングシーケンスが用いられる。
【００８８】
当業者に理解されるように、本発明の上記実施例は、ソフトウェア、ハードウェア、またはソフトウェアとハードウェアとの組合せにより実現可能である。例えば、上記実施例の基地局およびユーザ機器内の各アセンブリは、各種のデバイスにより実現され得る。これらのデバイスとしては、アナログ回路デバイス、デジタル回路デバイス、デジタル信号処理（ＤＳＰ）回路、プログラマブルプロセッサ、専用集積回路（ＡＳＩＣ）、フィールド・プログラマブル・ゲートアレイ（ＦＰＧＡ）、プログラマブル・ロジックデバイス（ＣＰＬＤ）などを含むが、特にこれらに限定されない。
【００８９】
本明細書において、「基地局」とは、比較的に大きな放射パワーおよび広いカバレッジ面積を有するモバイル通信データスイッチングセンターおよび制御スイッチングセンターを指し、リソースのスケジューリングや、データの送受信などの機能を備える。また、「ユーザ機器」とは、モバイル型ユーザ端末を指し、例えば携帯電話、ノート型コンピュータなど、基地局またはフェムトセルと無線通信できる端末機器を含む。
【００９０】
また、以上に説明した本発明の実施例は、コンピュータプログラム製品により実現可能である。より具体的には、該コンピュータプログラム製品とは、符号化されたコンピュータプログラムロジックを記録したコンピュータ読み取り可能な記録媒体を備え、該コンピュータプログラムロジックがコンピュータ機器により実行されることで、本発明の上記構成を実現する関連処理が行われる製品である。また、該コンピュータプログラムロジックは、コンピュータシステムにおける少なくとも１つのプロセッサにより実行されると、本発明の実施例に記載の処理（方法）が実行されるようになる。本発明の上記構成に供される代表的なものとしては、例えば、光学媒体（例えばＣＤ−ＲＯＭ）や、フロッピ（登録商標）またはハードディスクのようなコンピュータ読み取り可能な記録媒体上に記録され、または符号化されたソフトウェア、コード、および／若しくは他のデータ構成；或いは、１つまたは複数のＲＯＭ、ＲＡＭ若しくはＰＲＯＭチップ上の固定素子やマイクロコードのような他の媒体；或いは、１つまたは複数のモジュール内のダウンロード可能なソフトウェア画像や共有データベース等が挙げられる。また、ソフトウェアや固定素子の上記構成をコンピュータ機器に設け、本発明実施例に記載の技術的構成を、コンピュータ機器内の１つまたは複数のプロセッサに実行させてもよい。
【００９１】
以上、本発明の好ましい実施形態を例示し、本発明について説明したが、当業者が理解できるように、本発明の精神および範囲から逸脱しない限り、本発明に対し種々の改修、置換および変更を行うことは可能である。したがって、本発明は、上記した実施例に限定されず、添付される特許請求の範囲およびその均等的ものにより限定されるべきである。
【図面の簡単な説明】
【００９２】
【図１】本発明に係る基地局を示すブロック図である。
【図２】実施例に係る、繰返し伝送されるＰＤＣＣＨのスクランブリングを示す模式図である。
【図３】本発明に係るユーザ機器を示すブロック図である。
【図４】本発明に係る物理制御チャネルの繰返し伝送方法を示すフローチャートである。
【図５】本発明に係る物理制御チャネルの受信方法を示すフローチャートである。
【図１】
0006507168.tif 000002
【図２】
0006507168.tif 000003
【図３】
0006507168.tif 000004
【図４】
0006507168.tif 000005
【図５】
0006507168.tif 000006